(57)【要約】【課題】センサ部を有さない既存の照明器具を廃棄することなくセンサ機能を追加することができ、配線の見栄えも良く、また工事の手間も少なくすることができる。【解決手段】照明器具用取り付け台１０は、人感センサ１１と、明暗センサ１２を備えており、これらの検出信号により、制御部１１１が、スイッチ部１３のオン／オフを制御する。電源線接続用コード１５をコネクタ１１４を介して電源線３０ａに接続し、照明器具接続用コード１６をコネクタ１１５を介して照明器具２０の引き出し線２０ａに接続する。【選択図】  図３
2004349125.tif 000002
【特許請求の範囲】
【請求項１】
電源線が引き出された取り付け面に照明器具を取り付けるため、前記照明器具と前記取り付け面との間に介在され、前記照明器具と前記電源線を電気的に接続する照明器具取り付け台において、
周囲の状況の変化を検知するセンサ部と
前記照明器具への電力の供給を切替えるためのスイッチ部と、
前記センサ部の出力に基づき前記スイッチ部を制御する制御部と
を備えたことを特徴とする照明器具取り付け台。
【請求項２】
前記スイッチ部の端子の一方から引き出され前記電源線に接続するための電源線接続用コードと、
前記スイッチ部の前記端子の他方から引き出され前記照明器具の接続線に接続するための照明器具接続用コードと
を備えたことを特徴とする請求項１記載の照明器具取り付け台。
【請求項３】
前記センサ部は、人が近接したことを検知する人感センサを備えた請求項１に記載の照明器具取り付け台。
【請求項４】
前記センサ部は、周囲の明るさを検知する明暗センサを備え、前記制御部は、周囲の明るさが所定の閾値以下となったことを前記明暗センサが検知した後、前記人感センサの出力に拘わらず所定時間だけ前記スイッチ部をオンに保持する制御を実行するように構成されたことを特徴とする請求項３に記載の照明器具用取り付け台。
【請求項５】
前記制御部は、周囲の明るさが所定の閾値以上となったことを前記明暗センサが検知した後、前記人感センサの出力に拘わらず前記スイッチ部をオフのまま保持する制御を実行するように構成されたことを特徴とする請求項４に記載の照明器具取り付け台。
【発明の詳細な説明】
【０００１】
【発明の属する技術分野】
本発明は、電源線が引き出された取り付け面に照明器具を取り付けるため、前記照明器具と前記取り付け面との間に介在され、前記照明器具と前記電源線を電気的に接続する照明器具取り付け台に関する。
【０００２】
【従来の技術】
近年、人間が近付いたことを検知する人感センサや、周囲の明るさの変化を検知する明暗センサなど、周囲の状況の変化を検知するセンサ部の出力に基づき、照明器具の点灯状態の制御を行う技術が実用化されてきている。例えば、こうしたセンサ部を内蔵した照明器具が知られている。（例えば、特許文献１参照）。
【０００３】
【特許文献１】
特開２００１−１２６５２７号公報（第４頁、図１等）
【発明が解決しようとする課題】
【０００４】
しかしながら、こうしたセンサ部を内蔵した照明器具を、センサ部を有さない古い照明器具と交換しようとする場合、古い照明器具は、照明としては十分使用することができるにも拘わらず丸ごと廃棄しなければならないことになり、大きな無駄が生じる。
【０００５】
こうした無駄を防止するため、既存の照明器具と接続させ、照明器具の取り付け場所に隣接させて配置可能なセンサユニットも市販されている。しかし、このようにセンサ部と照明器具とが別体であると、両者の間で配線を引き回す必要が生じ見栄えが悪くなり、また、センサ部を埋め込むための配置孔等を別途形成しなければならないため、工事も大変であるという問題がある。
本発明は、この点に鑑みてなされたものであり、センサ部を有さない既存の照明器具を廃棄することなくセンサ機能を追加することができ、配線の見栄えも良く、また工事の手間も少なくすることができるようにすることを目的とする。
【０００６】
【課題を解決するための手段】
上記目的達成のため、本発明に係る照明器具用取り付け台は、電源線が引き出された取り付け面に照明器具を取り付けるため、前記照明器具と前記取り付け面との間に介在され、前記照明器具と前記電源線を電気的に接続する照明器具取り付け台において、周囲の状況の変化を検知するセンサ部と、前記照明器具への電力の供給を切り替えるためのスイッチ部と、前記センサ部の出力に基づき前記スイッチ部を制御する制御部とを備えたことを特徴とする。
【０００７】
この発明に係る照明器具取り付け台によれば、センサ部を有さない照明器具と取り付け面との間に照明器具取り付け台を介在させ、電源線と照明器具とを照明器具取り付け台に接続させるだけで、センサ部を有さない照明器具にセンサ機能を付加させることが出来る。また、この照明器具取り付け台は、照明器具を取り付けるべき位置に取り付ければよいから、配線を引き回す必要がなく、配線の見栄えが良くなり、しかも別途取り付け場所の工事をする必要がない。
【０００８】
この発明において、前記スイッチ部の端子の一方から引き出され前記電源線に接続するための電源線接続用コードと、前記スイッチ部の前記端子の他方から引き出され前記照明器具の接続線に接続するための照明器具接続用コードとを備えることが出来る。
【０００９】
また、前記センサ部は、人が近接したことを検知する人感センサを備えることができる。さらに、前記センサ部は、周囲の明るさを検知する明暗センサを備え、前記制御部は、周囲の明るさが所定の閾値以下となったことを前記明暗センサが検知した後、前記人感センサの出力に拘わらず所定時間だけ前記スイッチ部をオンに保持する制御を実行するように構成することができる。加えて、前記制御部は、周囲の明るさが所定の閾値以上となったことを前記明暗センサが検知した後、前記人感センサの出力に拘わらず前記スイッチ部をオフのまま保持する制御を実行するように構成することができる。
【００１０】
【発明の実施の形態】
以下、本発明の実施の形態を、図面に基づいて詳細に説明する。
図１は、本発明の実施の形態に係る照明器具取り付け台１０の外観構成を示しており、（ａ）は正面図を、（ｂ）は底面図を、（ｃ）は使用状態を示す斜視図を示している。
この照明器具取り付け台は、図１（ｃ）に示すように、壁面、天井、床など、照明器具を取り付けるべき取り付け面に設けられ電源線３０ａが引き出される電源線引き出し部３０と、取り付け対象としての照明器具との間に設けられ、ネジ等の固定具により壁面に固定され得るよう構成されると共に、照明器具を固定することができるように構成される。
【００１１】
この照明器具取り付け台１０は、図１（ｂ）に示すように、人感センサ１１と、明暗センサ１２とが備えられている。人感センサ１１は、赤外線領域に感度を有する光センサであり、これにより人間が近付いて来たことを検知するためのものである。明暗センサ１２は、可視光領域に感度を有するセンサであり、これにより周囲の明るさが所定の閾値以下になったことを検知するためのものである。
【００１２】
また、この人感センサ１１及び明暗センサ１２の側方には、タイマスイッチ１３と、明暗基準スイッチ１４とが備えられている。
タイマスイッチ１３は、周囲の明るさが所定の閾値以下であると明暗センサ１２が判定した後、人感センサ１１の検出信号に拘わらず、照明器具の照明をオンにし続ける時間を切替えるためのものである。このタイマスイッチ１３では、例えば図２（ａ）に示すように、「９ｈ」、「６ｈ」、「切」の３段階に切り替え可能にされている。
【００１３】
タイマスイッチ１３が「９ｈ」に設定されているときは、周囲の明るさが所定の閾値以下であると明暗センサ１２が判定した後、照明器具２０の照明は、９時間の間、人感センサ１１の検出信号に拘わらず連続点灯される。これにより、人の出入りが激しい場所において、照明が頻繁にオン／オフされることによる電球や蛍光灯の短寿命化が防止される。
タイマスイッチ１３が「６ｈ」に設定されると、この連続点灯時間が６時間となり、また「切」に設定されると、人感センサ１１の検出信号が切り替わる毎に照明がオン／オフされる。人の出入りが激しくない場合には、タイマスイッチ１３を「切」にしておくと、電気料金を節約することが出来る。
【００１４】
明暗基準スイッチ１４は、明暗センサ１２における明暗の判断基準としての明るさ（照度）を切り替えるものであり、図２（ｂ）に示すように、「テスト」、「明」、「暗」の３段階に切り替え可能にされている。明暗基準スイッチ１４を「明」に合わせると、周囲が薄暗くなると照明器具２０の照明が点灯する。また、明暗基準スイッチ１４を「暗」に合わせると、周囲がかなりの程度暗くなってから照明器具２０の照明が点灯する。明暗基準スイッチ１４を「テスト」に合わせると、人感センサ１１の感知エリアを確認することができる。
【００１５】
また、この照明器具用取り付け台１０は、その中央部に貫通孔Ｈを備えている。この貫通孔Ｈは、照明を取り付けるべき取り付け面とから引き出される電源線３０ａを通すための孔である。
また、この貫通孔Ｈの内壁面からは、この電源線３０ａと接続するための電源接続用コード１５と、照明器具と接続するための照明器具接続用コード１６とが引き出されている。これらのコード１５、１６は、それぞれ、２本の電線をビニール等の絶縁物で被覆したものであり、１本は負荷としての照明器具の一端側に、もう１本は照明器具の他端側に接続される。
【００１６】
また、図１（ａ）に示すように、照明器具用取り付け台１０の正面側には、背面側に貫通し、ネジにより照明器具用取り付け台１０を取り付け面に固定するためのネジ穴１７が複数個（図１（ａ）では１０個）形成されている。また、照明器具用取り付け台１０の正面側には、照明器具取り付け用のネジ穴１８が複数個（図１（ａ）では２個）形成されている。
【００１７】
図３は、この照明器具用取り付け台１０の内部構造及び配線図を示している。照明器具取り付け台１０は、その内部に、制御部１１１と、ドライバ１１２と、スイッチ１１３とを備えている。制御部１１１は、スイッチ１１３を、センサ１１及び１２の検出信号並びにタイマスイッチ１３及び明暗基準スイッチ１４の切り替え信号に基づいて制御するものである。この制御部１１１は、明暗センサ１２の検出信号出力後の時間経過を計測するためのタイマを内蔵している。また、ドライバ１１２は、電源線３０ａから供給される電力により、人感センサ１１及び明暗センサ１２を駆動するためのものである。
スイッチ１１３は、制御部１１１からの制御信号を受けて、照明器具２０への電力供給のオン、オフを切替えるものであり、電磁式スイッチ、半導体式のスイッチのいずれでも採用できる。
【００１８】
前述の電源線接続用コード１５は、その一端がスイッチ１１３の電源線引き出し部３０側の端子に接続されており、その他端が貫通孔Ｈの照明器具２０側の開口に引き出される。ここにおいて、この他端は電源線３０ａとコネクタ１１４を介して接続される。また、前述の照明器具接続用コード１６は、その一端がスイッチ１１３の照明器具２０側の端子に接続されており、その他端が貫通孔Ｈの照明器具２０側の開口に引き出される。ここにおいて、この他端は照明器具２０の引き出し線２０ａとコネクタ１１５を介して接続される。このようにして、交流電源５０と照明器具２０とが、照明器具用取り付け台１０により電気的に接続される。なお、交流電源５０の照明器具２０への供給は、壁スイッチ４０によっても切り替えられる。
【００１９】
照明器具用取り付け台１０は、前述のように、ネジ穴１７を介してネジ止めすることにより、電源線引き出し部３０に固定される。また、照明器具２０は、例えば次のようにして照明器具用取り付け台１０に固定される。図３に示すように、まずパッキン２１及び取り付け金具２２をネジ穴１８を介してネジ止めする。続いて取り付け金具２２から突出するボルト２２ａを照明器具２０の本体部のボルト穴２０ｂに通し、その後ボルト２２ａの先端をナットで固定する。
【００２０】
次に、本実施の形態に係る照明器具用取り付け台１０の作用を、図４に示すタイムチャートに基づいて説明する。ここでは、タイマスイッチ１３が「９ｈ」に設定されているものとして説明する。
照明器具用取り付け台１０の周囲の明るさが、時刻ｔ１において、明暗基準スイッチ１４で設定した所定の閾値未満となったことが明暗センサ１２により検知されると、制御部１１１は、スイッチ１１３をオンに切り替える制御を実行する。
【００２１】
また、制御部１１１は、内蔵するタイマにより、９時間の時間のカウントを開始する。制御部１１１は、このカウントの開始（時刻ｔ１）から終了（時刻ｔ２）までの間は、人感センサ１１からの検出信号に拘わらず、スイッチ１１３をオンのまま保持し、これにより照明器具２０の照明を９時間の間連続点灯させる。９時間が経過した後、周囲の明るさが所定の閾値未満である間（時刻ｔ２〜ｔ３）においては、制御部１１１は、人感センサ１１により人の存在が検知されている間だけスイッチ１１３をオンにし、照明を点灯させる制御を行う。
【００２２】
また、明暗センサ１２により、照明器具用取り付け台１０の周囲の明るさが、時刻ｔ３において、所定の閾値以上となったことが明暗センサ１２により検知されると、制御部１１１は、スイッチ１１３をオフにする制御を実行する。その後、再度周囲の明るさが所定の閾値以上である間（時刻ｔ３〜ｔ４）においては、人感センサ１１の検出信号に拘わらず、制御部１１１はスイッチ１１３をオフのままに保持する。
このように、この実施の形態によれば、照明器具用取り付け台１０に備えられたセンサ１１、１２により、照明器具２０の点灯状態が制御され、センサ部を有さない照明器具においても、周囲の状況に応じた点灯制御を実行することが可能になる。
【００２３】
以上、発明の実施の形態について説明したが、本発明はこれに限定されるものではなく、発明の趣旨を逸脱しない範囲内において、種々の追加、変更等が可能である。
例えば、上記実施の形態では、周囲の明るさが所定の閾値以上であることが明暗センサ１２により検出されている場合には、人感センサ１１により人の存在が検知されてもスイッチ１３をオフのままとしている。しかし、この場合にスイッチ１１３をオンに切り替えるように変更することが可能であることはいうまでもない。
【００２４】
また、上記の実施の形態では、センサ１１及び１２の出力に基づいて、スイッチ１１３を切り替えるようにしていたが、これに代えて又は追加して、照明器具２０の照明へ供給する電力を段階的に切り替えるチョッパ回路等を設けてもよい。これにより例えば、明暗センサ１２により、周囲の明るさが所定値以下になったことが検出されたが、人感センサ１１は人の存在を検知していない場合には、照明器具２０の照明を薄明るく点灯させておく、というようなことが可能になる。
【００２５】
【発明の効果】
以上述べたように、センサ部を有さない既存の照明器具を廃棄することなくセンサ機能を追加することができ、配線の見栄えも良く、また工事の手間も少なくすることができるという効果を奏する。
【図面の簡単な説明】
【図１】本発明の実施の形態に係る照明器具用取り付け台１０の外観構成を示す。
【図２】図１に示すスイッチ１３、１４の拡大図である。
【図３】照明器具用取り付け台１０の内部構造及び配線図を示す。
【図４】照明器具用取り付け台１０の作用を示すタイムチャートである。
【符号の説明】
１０・・・照明器具用取り付け台、１１・・・人感センサ、１２・・・明暗センサ、１３・・・タイマスイッチ、１４・・・明暗基準スイッチ、１５・・・電源接続用コード、１６・・・照明器具接続用コード、１７、１８・・・ネジ穴、２０・・・照明器具、３０・・・電源線引き出し部、３０ａ・・・電源線、４０・・・壁スイッチ、５０・・・交流電源、１１１・・・制御部、１１２・・・ドライバ、１１３・・・スイッチ、１１４、１１５・・・コネクタ。
【図１】
2004349125.tif 000003
【図２】
2004349125.tif 000004
【図４】
2004349125.tif 000005
【図３】
2004349125.tif 000006